(57)【特許請求の範囲】
【請求項１】
受信信号について、所定の繰り返し回数にわたり、所定数の既知信号点のそれぞれについての尤度を示す尤度情報の更新を行う尤度情報更新手段と、
更新された前記尤度情報により示される前記受信信号の尤度に対し、該受信信号の特定既知信号点からのずれの量が小さくなるに応じて該尤度を大きくし、該ずれの量が大きくなるに応じて該尤度を小さくする補正処理を、補正量を前記所定の繰り返し回数が少ないほど大きくして実行することにより、前記受信信号の復号結果の収束度合を制御する収束度合制御手段と、
前記尤度情報更新手段により更新された尤度情報により示される各尤度と所定の閾値とを比較し、比較結果に基づいて前記受信信号が前記所定数の既知信号点のいずれを示すかを判定することにより、前記受信信号の復号結果を取得する復号結果取得手段と、
を含むことを特徴とする受信装置。
【請求項２】
請求項１に記載の受信装置において、
前記収束度合制御手段は、前記尤度情報更新手段による尤度情報の更新に際し、更新した尤度情報に応じて該尤度情報を変更することにより、前記受信信号の復号結果の収束度合を制御する、
ことを特徴とする受信装置。
【請求項３】
請求項１又は２に記載の受信装置において、
当該受信装置は、
通信データ系列を構成する各通信データを符号化してなる受信信号を複数含む受信信号系列を受信する受信手段、
をさらに含み、
前記復号結果取得手段は、前記受信手段により受信された受信信号系列に含まれる各受信信号について復号結果を取得し、
当該受信装置は、
前記復号結果取得手段より、前記各受信信号の復号結果を示す複数の既知信号点からなる既知信号点系列の入力を受け付け、該既知信号点系列から前記通信データ系列を取得するデータ取得手段、
をさらに含む、
ことを特徴とする受信装置。
【請求項４】
受信信号について、所定の繰り返し回数にわたり、所定数の既知信号点のそれぞれについての尤度を示す尤度情報の更新を行う尤度情報更新ステップと、
更新された前記尤度情報により示される前記受信信号の尤度に対し、該受信信号の特定既知信号点からのずれの量が小さくなるに応じて該尤度を大きくし、該ずれの量が大きくなるに応じて該尤度を小さくする補正処理を、補正量を前記所定の繰り返し回数が少ないほど大きくして実行することにより、復号結果の収束度合を制御する収束度合制御ステップと、
前記尤度更新ステップにおいて更新された尤度情報により示される各尤度と所定の閾値とを比較し、比較結果に基づいて、前記受信信号が前記所定数の既知信号点のいずれを示すかを判定することにより、前記受信信号の復号結果を取得する復号結果取得ステップと、
を含むことを特徴とする受信方法。
【発明の詳細な説明】
【技術分野】
【０００１】
本発明は受信装置及び受信方法に関し、特にターボ符号方式に関する。
【背景技術】
【０００２】
ターボ符号方式は、信頼性の高い復号を行える符号方式として知られている（例えば、特許文献１乃至特許文献５参照。）。このターボ符号方式における復号では、受信信号系列と、該系列を構成する受信信号ごとの尤度情報と、に基づき、新たな尤度情報を算出するという処理が繰り返し行われる。
【０００３】
なお、尤度情報は既知信号点ごとに算出されるものである。例えば「０」と「１」の２つの既知信号点を有するＢＰＳＫでは、ある受信信号についての尤度情報は、既知信号点「０」についての尤度と、既知信号点「１」についての尤度と、により構成される。
【０００４】
ターボ符号方式では、繰り返し処理を行う間に、各受信信号について、いずれか１つの既知信号点についての尤度が上昇していき、他の既知信号点についての尤度が減少していく。すなわち、復号結果がいずれか１つの既知信号点（最尤信号点）に収束していく。受信信号系列を構成する全ての受信信号について最尤信号点が得られたときに、繰り返し処理が終了され、復号結果としての最尤信号点系列が出力される。
【特許文献１】特開２００３−７８４２２号公報
【特許文献２】特開２００３−１３４０９１号公報
【特許文献３】特開２００３−１９８５１４号公報
【特許文献４】特開２００４−２６０５６１号公報
【特許文献５】特開２００５−２０３９５９号公報
【発明の開示】
【発明が解決しようとする課題】
【０００５】
ところで、繰り返し処理に要する時間はそのまま遅延時間となるし、繰り返し回数が多いほど処理負荷も大きくなるので、繰り返し回数は可能な限り少ないことが望ましい。しかしながら、繰り返し回数を削減すると、復号結果が収束せず、何ら復号結果が得られなくなってしまう。このため、繰り返し回数を削減することはできなかった。
【０００６】
従って、本発明の課題の一つは、繰り返し回数を削減したとしても、何らかの復号結果を得ることのできる受信装置及び受信方法を提供することにある。
【課題を解決するための手段】
【０００７】
上記課題を解決するための本発明にかかる受信装置は、受信信号について、所定の繰り返し回数にわたり、所定数の既知信号点のそれぞれについての尤度を示す尤度情報の更新を行う尤度情報更新手段と、前記繰り返し回数に応じて、更新された前記尤度情報により示される前記受信信号の復号結果の収束度合を制御する収束度合制御手段と、前記尤度情報更新手段により更新された尤度情報により示される各尤度と所定の閾値とを比較し、比較結果に基づいて前記受信信号が前記所定数の既知信号点のいずれを示すかを判定することにより、前記受信信号の復号結果を取得する復号結果取得手段と、を含むことを特徴とする。
【０００８】
これによれば、繰り返し回数に応じて収束度合を制御しているので、繰り返し回数を削減したとしても、何らかの復号結果を得ることができる。
【０００９】
また、上記受信装置において、前記収束度合制御手段は、前記尤度情報更新手段による尤度情報の更新に際し、更新した尤度情報に応じて該尤度情報を変更することにより、前記受信信号の復号結果の収束度合を制御する、こととしてもよい。
【００１０】
これによれば、尤度の差を強制的に広げているので、繰り返し回数を削減したとしても、何らかの復号結果を得ることができる。
【００１１】
また、上記受信装置において、当該受信装置は、通信データ系列を構成する各通信データを符号化してなる受信信号を複数含む受信信号系列を受信する受信手段、をさらに含み、前記復号結果取得手段は、前記受信手段により受信された受信信号系列に含まれる各受信信号について復号結果を取得し、当該受信装置は、前記復号結果取得手段より、前記各受信信号の復号結果を示す複数の既知信号点からなる既知信号点系列の入力を受け付け、該既知信号点系列から前記通信データ系列を取得するデータ取得手段、をさらに含む、こととしてもよい。
【００１２】
これによれば、受信装置は、復号結果により、元の通信データ系列を取得することができる。
【００１３】
また、本発明にかかる受信方法は、受信信号について、所定の繰り返し回数にわたり、所定数の既知信号点のそれぞれについての尤度を示す尤度情報の更新を行う尤度情報更新ステップと、前記繰り返し回数に応じて、更新された前記尤度情報により示される前記受信信号の復号結果の収束度合を制御する収束度合制御ステップと、前記尤度更新ステップにおいて更新された尤度情報により示される各尤度と所定の閾値とを比較し、比較結果に基づいて、前記受信信号が前記所定数の既知信号点のいずれを示すかを判定することにより、前記受信信号の復号結果を取得する復号結果取得ステップと、を含むことを特徴とする。
【発明を実施するための最良の形態】
【００１４】
本発明の実施の形態について、図面を参照しながら説明する。
【００１５】
図１は、本実施の形態にかかる通信システム１のシステム構成を示す図である。同図に示すように、通信システム１は送信装置１０及び受信装置２０を含んで構成される。ここでは、通信システム１は移動体通信システムであるとして説明する。
【００１６】
送信装置１０及び受信装置２０は、いずれもＣＰＵ及びメモリを備えるコンピュータであり、ここでは移動体通信システムにおける基地局装置又は移動局装置である。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００１７】
送信装置１０は、受信装置２０に対して、ターボ符号方式を利用して、連続する所定数の通信データからなる通信データ系列を符号化し、無線送信する。受信装置２０は、送信装置１０が送信した無線信号系列を、ターボ符号方式を利用して復号化し、通信データ系列を取得する。以下、図面を参照しながら、具体的に説明する。
【００１８】
図１には、送信装置１０及び受信装置２０の機能ブロックも示されている。同図に示すように、送信装置１０は、データ取得部１１、符号化部１２、マッパー（mapper）部１３を含んで構成される。また、受信装置２０は、デマッパー（de-mapper）部２１、復号化部２２、データ取得部２３を含んで構成される。
【００１９】
データ取得部１１は通信データ系列を構成する通信データを順次取得し、符号化部１２に順次出力する。符号化部１２は、ターボ符号方式を使用して通信データ系列を符号化することにより、連続する所定数の符号化通信データからなる符号化通信データ系列を取得し、マッパー部１３に入力する。符号化部１２の処理の詳細については後述する。
【００２０】
マッパー部１３は、符号化部１２から入力された符号化通信データ系列を構成する核符号化通信データを、所定の変調方式（ＢＰＳＫ、１６ＱＡＭなど）によりＩＱ平面にマッピングすることにより変調し、連続する所定数の符号化通信信号からなる符号化通信信号系列を取得する。送信装置１０は、こうして取得された符号化通信信号系列を構成する各符号化通信信号を順次無線送信する。
【００２１】
受信装置２０は、送信装置１０により無線送信された符号化通信信号系列を受信する。デマッパー部２１は、こうして受信された符号化通信信号系列に基づき、通信信号系列（符号化通信信号系列のうち、通信データ系列を変調してなる部分）を構成する各通信信号について、上記変調方式の各信号点（既知信号点）との尤度を算出することにより、既知信号点ごとに尤度を取得する。そして、各通信信号について、既知信号点ごとの尤度を含む尤度情報を生成する。デマッパー部２１は、こうして、連続する所定数の尤度情報からなる尤度情報系列を取得し、復号化部２２に出力する。
【００２２】
復号化部２２は、受信された符号化通信信号系列と、デマッパー部２１から入力される尤度情報系列と、に基づいて、ターボ符号方式による復号化を行い、最終的に、連続する所定数の既知信号点からなる既知信号点系列を取得し、データ取得部２３に出力する。復号化部２２の処理の詳細については後述する。データ取得部２３は、復号化部２２から各通信信号の復号結果を示す複数の既知信号点からなる既知信号点系列の入力を受け付け、該既知信号点系列から、元の通信データ系列を取得する。
【００２３】
図２は、符号化部１２の内部機能の機能ブロックを示す図である。同図に示すように、符号化部１２は、内部的にデータ入力受付部１２１、インターリーブ部１２２、ＲＳＣ符号化部１２３、ＲＳＣ符号化部１２４、パンクチュア・マルチプレクサ部１２５、マルチプレクサ部１２６を含んで構成される。
【００２４】
データ入力受付部１２１は、データ取得部１１から順次通信データの入力を受け付け、インターリーブ部１２２、ＲＳＣ符号化部１２３、及びマルチプレクサ部１２６に出力する。
【００２５】
インターリーブ部１２２は、通信データ系列を構成する通信データの順序を、所定の入れ替え規則に従って入れ替え、入れ替えた順序で、ＲＳＣ符号化部１２４に対し、順次通信データを出力する。以下、こうして出力される通信データにより構成される通信データ系列を、インターリーブド（interleaved）通信データ系列と称する。
【００２６】
ＲＳＣ符号化部１２３は、データ入力受付部１２１から入力される通信データ系列を、再帰的組織畳み込み（ＲＳＣ：Recursive Systematic Convolutional）符号化することにより、連続する所定数の検査データからなる検査データ系列を取得する。つまり、ＲＳＣ符号化部１２３は、ある通信データを、それ以前の通信データに基づいて変更することにより、検査データを取得する。具体的な例では、ｎ番目の通信データに対し、ｎ−１番目の通信データとｎ−２番目の通信データを排他的論理和演算して得られる結果を検査データとする。
【００２７】
ＲＳＣ符号化部１２４は、インターリーブ部１２２から入力されるインターリーブド通信データ系列に対し、ＲＳＣ符号化部１２３と同様な処理を施すことにより、連続する所定数の検査データからなるインターリーブド検査データ系列を取得する。
【００２８】
パンクチュア・マルチプレクサ部１２５は、ＲＳＣ符号化部１２３により取得される検査データ系列と、ＲＳＣ符号化部１２４により取得されるインターリーブド検査データ系列と、について、所定のパンクチュア規則によりその一部を間引く（puncture）処理を行う。具体的な例では、１つ置きに検査データを破棄する。そして、検査データ系列とインターリーブド検査データ系列とを、所定の第１多重化規則により多重化（multiplex）することにより、連続する所定数の検査データからなる多重化検査データ系列を取得する。
【００２９】
マルチプレクサ部１２６は、データ入力受付部１２１から入力される通信データ系列と、パンクチュア・マルチプレクサ部１２５から入力される多重化検査データ系列とを、所定の第２多重化規則により多重化（multiplex）することにより、連続する所定数の符号化通信データからなる符号化通信データ系列を取得する。マルチプレクサ部１２６は、こうして取得した符号化通信データ系列を、マッパー部１３に出力する。
【００３０】
図３は、復号化部２２の内部機能の機能ブロックを示す図である。同図に示すように、復号化部２２は、内部的にデパンクチュア・デマルチプレクサ部２２１、インターリーブ部２２２、通信路情報判定部２２３、繰り返し回数選定部２２４、第１収束度合制御部２２５、ＲＳＣ復号化部２２６、インターリーブ部２２７、第２収束度合制御部２２８、ＲＳＣ復号化部２２９、デインターリーブ部２３０、第２収束度合制御部２３１、硬判定部２３２を含んで構成される。
【００３１】
デパンクチュア・デマルチプレクサ部２２１は、受信装置２０が受信した符号化通信信号系列と、デマッパー部２１から入力される尤度情報系列と、を取得する。そして、符号化通信信号系列を上記第２多重化規則により多重分離（de-multiplex）し、通信信号系列及び多重化検査信号系列（符号化通信信号系列のうち、多重化検査データ系列を変調してなる部分）を取得する。さらに、多重化検査信号系列を、上記第１多重化規則により多重分離（de-multiplex）し、検査信号系列（符号化通信信号系列のうち、検査データ系列を変調してなる部分）及びインターリーブド検査信号系列（符号化通信信号系列のうち、インターリーブド検査データ系列を変調してなる部分）を取得する。
【００３２】
デパンクチュア・デマルチプレクサ部２２１は、こうして得られる検査信号系列及びインターリーブド検査信号系列について、上記所定のパンクチュア規則により間引かれた部分を、所定の信号により補充する（de-puncture）処理も行う。
【００３３】
インターリーブ部２２２は、デパンクチュア・デマルチプレクサ部２２１により取得された通信信号系列を構成する通信信号の順序を、上記入れ替え規則に従って入れ替え、通信路情報判定部２２３に対し、順次インターリーブド通信信号系列を出力する。
【００３４】
通信路情報判定部２２３は、デパンクチュア・デマルチプレクサ部２２１により取得された通信信号系列、検査信号系列、及びインターリーブド検査信号系列と、インターリーブ部２２２から入力されるインターリーブド通信信号系列と、に基づき、通信信号系列の受信状態を示す通信路情報を取得する。
【００３５】
具体的には、通信路情報判定部２２３は、通信信号系列を構成する各通信信号の受信状態と、検査信号系列を構成する各検査信号の受信状態と、に基づいて、通信信号系列を構成する各通信信号がどれほど信頼できるかを示す第１信頼度情報を算出する。例えば、通信信号系列を構成する各通信信号のうちｎ個目の通信信号のＲＳＳＩ（Received Signal Strength Indicator：受信電力）が比較的低く、検査信号系列を構成する各検査信号のうちｎ個目の検査信号のＲＳＳＩも比較的低い場合に算出されるｎ個目の通信信号の信頼度をＡ、通信信号系列を構成する各通信信号のうちｎ個目の通信信号のＲＳＳＩが比較的高く、検査信号系列を構成する各検査信号のうちｎ個目の検査信号のＲＳＳＩが比較的低い場合に算出されるｎ個目の通信信号の信頼度をＢ、通信信号系列を構成する各通信信号のうちｎ個目の通信信号のＲＳＳＩ）が比較的低く、検査信号系列を構成する各検査信号のうちｎ個目の検査信号のＲＳＳＩ）が比較的高い場合に算出されるｎ個目の通信信号の信頼度をＣ、通信信号系列を構成する各通信信号のうちｎ個目の通信信号のＲＳＳＩが比較的高く、検査信号系列を構成する各検査信号のうちｎ個目の検査信号のＲＳＳＩも比較的高い場合に算出されるｎ個目の通信信号の信頼度をＤ、とすると、Ａ＜Ｂ＝Ｃ＜Ｄとなる。こうして通信信号系列を構成する各通信信号について算出される信頼度を合計し、通信信号系列の第１信頼度情報とする。
【００３６】
同様に、通信路情報判定部２２３は、インターリーブド通信信号系列を構成する各通信信号の受信状態と、インターリーブド検査信号系列を構成する各検査信号の受信状態と、に基づいて、インターリーブド通信信号系列を構成する各通信信号がどれほど信頼できるかを示す第２信頼度情報を算出する。
【００３７】
通信路情報判定部２２３は、こうして算出された第１信頼度情報と第２信頼度情報とに基づいて、通信信号系列の受信状態を示す通信路情報を取得し、繰り返し回数選定部２２４に入力する。
【００３８】
なお、データ取得部１１が取得する通信データ系列の一部に既知のトレーニング信号系列を含めておき、通信路情報判定部２２３は、該トレーニング信号系列と、該トレーニング信号系列に基づいて生成される検査データ系列及びインターリーブド検査データ系列と、を記憶しておくこととしてもよい。この場合、通信路情報判定部２２３は、通信信号系列、検査信号系列、及びインターリーブド検査信号系列と、記憶しているトレーニング信号系列、検査データ系列、及びインターリーブド検査データ系列と、に基づいて、通信信号系列の受信状態を判定することができる。
【００３９】
繰り返し回数選定部２２４は、通信路情報判定部２２３から入力される通信路情報と、受信装置２０の処理負荷の量と、受信装置２０の処理遅延の量と、のうち少なくとも１つを取得し、取得したものに基づいて、後述する尤度情報更新手段における尤度更新の繰り返し回数を選定する。具体的には、通信路情報により示される受信状態がよいほど、繰り返し回数を少なくする。一方、処理負荷の量や処理遅延の量が多いほど、繰り返し回数を少なくする。
【００４０】
ＲＳＣ復号化部２２６、インターリーブ部２２７、ＲＳＣ復号化部２２９、デインターリーブ部２３０は、通信信号について、繰り返し回数選定部２２４により選定される繰り返し回数にわたり、変調方式によって決定される数の既知信号点のそれぞれについての尤度を示す尤度情報の更新を行う尤度情報更新手段を構成する。具体的には、この尤度情報更新手段は、ＢＣＪＲ（Bahl-Cocke-Jelinek-Raviv）アルゴリズムを用いて、各既知信号点についての尤度を通信信号ごとに示す尤度情報の算出を繰り返し行う。
【００４１】
すなわち、ＲＳＣ復号化部２２６は、第１収束度合制御部２２５から入力される通信信号系列及び検査信号系列と、第２収束度合制御部２３１から入力される尤度情報系列と、に基づいて、ＢＣＪＲアルゴリズムにより新たな尤度情報系列を算出し、インターリーブ部２２７に出力する。
【００４２】
インターリーブ部２２７は、ＲＳＣ復号化部２２６から入力される尤度情報系列を構成する尤度情報の順序を、上記入れ替え規則に従って入れ替え、第２収束度合制御部２２８に対し、インターリーブド尤度情報系列を出力する。
【００４３】
また、ＲＳＣ復号化部２２９は、第１収束度合制御部２２５から入力されるインターリーブド通信信号系列及びインターリーブド検査信号系列と、第２収束度合制御部２２８から入力されるインターリーブド尤度情報系列と、に基づいて、ＢＣＪＲアルゴリズムにより新たなインターリーブド尤度情報系列を算出し、デインターリーブ部２３０に出力する。
【００４４】
デインターリーブ部２３０は、ＲＳＣ復号化部２２９から入力されるインターリーブド尤度情報系列を構成する尤度情報の順序を、上記入れ替え規則に従って入れ替え、第２収束度合制御部２３１に対し、尤度情報系列を出力する。
【００４５】
第１収束度合制御部２２５は、デパンクチュア・デマルチプレクサ部２２１により取得される通信信号系列、検査信号系列、インターリーブド検査信号系列、及び尤度情報系列と、インターリーブ部２２２により取得されるインターリーブド通信信号系列と、を取得する。そして、通信信号系列及び検査信号系列をＲＳＣ復号化部２２６に、インターリーブド通信信号系列及びインターリーブド検査信号系列をＲＳＣ復号化部２２９に、尤度情報系列を第２収束度合制御部２３１に、それぞれ入力する。
【００４６】
また、第１収束度合制御部２２５は、尤度情報更新手段における復号結果の収束度合を、繰り返し回数選定部２２４により選定される繰り返し回数に応じて、制御する。具体的には、尤度情報更新手段による尤度情報の更新に際し、更新により得られた尤度情報に応じ、各既知信号点についての尤度の差を広げた上で、尤度情報更新手段に尤度情報の更新を行わせることにより、復号結果の収束度合を制御する。第１収束度合制御部２２５は、繰り返し回数が少ないほど、復号結果の収束度合を速め、繰り返し回数が少なくても、復号結果が収束するようにする。
【００４７】
具体的な処理としては、第１収束度合制御部２２５は、繰り返し回数選定部２２４により選定される繰り返し回数に応じて、インターリーブ部２２７が出力する尤度情報と、デインターリーブ部２３０が出力する尤度情報と、を補正するための尤度補正値を算出する。そして、算出した尤度補正値を第２収束度合制御部２２８及び第２収束度合制御部２３１に対して入力する。
【００４８】
第２収束度合制御部２２８は、インターリーブ部２２７から入力されるインターリーブド尤度情報系列を、第１収束度合制御部２２５から入力される尤度補正値に基づいて補正する。また、第２収束度合制御部２３１は、デインターリーブ部２３０から入力される尤度情報系列を、第１収束度合制御部２２５から入力される尤度補正値に基づいて補正する。
【００４９】
以下、第２収束度合制御部２２８及び第２収束度合制御部２３１によるインターリーブド尤度情報系列及び尤度情報系列の補正の具体的な例について、図面を参照しながら説明する。
【００５０】
図４（ａ）（ｂ）（ｃ）では、縦軸にＩＱ（In-phase，Quadrature）平面座標における特定既知信号点からのずれの量（ずれの角度で示す。）、横軸に尤度が示される。この尤度は−１から１の間の値で示されており、０である場合に受信信号が特定既知信号点であることについての信頼性が最大となり、絶対値が大きくなるほど、受信信号が特定既知信号点であることについての信頼性が小さくなる。
【００５１】
第２収束度合制御部２２８及び第２収束度合制御部２３１は、この尤度と特定既知信号点からのずれの量の関係を歪ませることにより、インターリーブド尤度情報系列を構成する各尤度及び尤度情報系列を構成する各尤度を補正する。これにより、特定既知信号点からのずれの量がある程度以上小さいものの信頼性を上げ、特定既知信号点からのずれの量がある程度以上大きいものの信頼性を下げることができるので、尤度情報更新手段における復号結果の収束度合を上げることができる。
【００５２】
なお、図４（ａ）（ｂ）（ｃ）では、この歪みの態様が互いに異なっている。第１収束度合制御部２２５により示される尤度補正値は、歪みの態様を示す値であり、第２収束度合制御部２２８及び第２収束度合制御部２３１は、尤度補正値により示される態様の歪みを、それぞれインターリーブド尤度情報系列を構成する各尤度及び尤度情報系列を構成する各尤度に与える。
【００５３】
硬判定部２３２は、尤度情報更新手段において、繰り返し回数選定部２２４により選定された繰り返し回数の繰り返しが終了したとき、デインターリーブ部２３０から出力される尤度情報系列を取得する。そして、取得した尤度情報系列に基づき、通信信号系列を構成する各通信信号が、変調方式によって決定される数の既知信号点のいずれを示すかを判定することにより、通信信号系列の復号結果を取得する。この判定は硬判定と呼ばれる。具体的には、取得した尤度情報系列を構成する各通信信号についての各尤度と、所定の閾値と、を比較し、比較結果に基づいて硬判定を行う。より具体的には、取得した尤度情報系列を構成する各通信信号についての各尤度のうち、所定の閾値を上回っている尤度に対応する既知信号点を、通信信号が示す既知信号点と判定する。硬判定部２３２は、こうして判定した既知信号点からなる既知信号点系列を、データ取得部２３に出力する。
【００５４】
以上説明した通信システム１における処理を、処理フロー図を参照しながら、再度より詳細に説明する。
【００５５】
図５は、通信システム１における処理のフローを示す図である。同図では、分かりやすくするため、受信装置２０の各機能ブロックのうち、ＲＳＣ復号化部２２６、インターリーブ部２２７、第２収束度合制御部２２８、ＲＳＣ復号化部２２９、インターリーブ部２３０、第２収束度合制御部２３１の各機能ブロックを、受信装置２０と分けて記載している。
【００５６】
送信装置１０は、通信データ系列をターボ符号方式を利用して符号化し（Ｓ１０）、符号化通信信号系列を取得して送信する（Ｓ１１）。
【００５７】
受信装置２０は、符号化通信信号系列を受信して、その受信状態を示す通信路情報を判定する（Ｓ１２）。次に、通信路情報と、処理負荷や処理遅延の量と、に基づき、繰り返し回数を選定する（Ｓ１３）。そして、繰り返し回数に応じて尤度補正値を算出する（Ｓ１４）。
【００５８】
受信装置２０は、通信信号系列及び検査信号系列をＲＳＣ復号化部２２６に入力するとともに、尤度情報系列を第２収束度合制御部２３１に入力する（Ｓ１５）。また、インターリーブド通信信号系列及びインターリーブド検査信号系列をＲＳＣ復号化部２２９に入力する（Ｓ１６）。
【００５９】
第２収束度合制御部２３１は、入力された尤度情報系列を、Ｓ１４で算出された尤度補正値に基づき補正する（Ｓ１７）。ＲＳＣ復号化部２２６は、入力された通信信号系列及び検査信号系列と、Ｓ１７で補正された尤度情報系列と、に基づいて復号化を行い（Ｓ１８）、尤度情報系列を取得する。インターリーブ部２２７は、Ｓ１８で取得された尤度情報系列と、上記入れ替え規則と、に基づいてインターリーブド尤度情報系列を取得し、第２収束度合制御部２２８に出力する（Ｓ１９）。
【００６０】
第２収束度合制御部２２８は、入力されたインターリーブド尤度情報系列を、Ｓ１４で算出された尤度補正値に基づき補正する（Ｓ２０）。ＲＳＣ復号化部２２９は、入力されたインターリーブド通信信号系列及びインターリーブド検査信号系列と、Ｓ２０で補正されたインターリーブド尤度情報系列と、に基づいて復号化を行い（Ｓ２１）、インターリーブド尤度情報系列を取得する。デインターリーブ部２３０は、Ｓ２１で取得されたインターリーブド尤度情報系列と、上記入れ替え規則と、に基づいて尤度情報系列を取得し、第２収束度合制御部２３１に出力する（Ｓ２２）。
【００６１】
受信装置２０は、上記Ｓ１７乃至Ｓ２２の処理を、Ｓ１３で選定した繰り返し回数まで繰り返す。そして、繰り返しが終了すると、デインターリーブ部２３０から出力される尤度情報系列（Ｓ３０）に基づいて、硬判定を行う（Ｓ３１）。
【００６２】
以上説明したように、通信システム１によれば、繰り返し回数に応じて復号結果の収束度合を制御しているので、繰り返し回数を削減したとしても、何らかの復号結果を得ることができる。また、尤度の差を強制的に広げているので、繰り返し回数を削減したとしても、何らかの復号結果を得ることができる。
【図面の簡単な説明】
【００６３】
【図１】本発明の実施の形態にかかる通信システムのシステム構成及び機能ブロックを示す図である。
【図２】本発明の実施の形態にかかる符号化部の内部構成を示す図である。
【図３】本発明の実施の形態にかかる復号化部の内部構成を示す図である。
【図４】本発明の実施の形態にかかるインターリーブド尤度情報系列及び尤度情報系列の補正の具体例を示す図である。
【図５】本発明の実施の形態にかかる通信システムの処理フローを示す図である。
【符号の説明】
【００６４】
１  通信システム、１０  送信装置、１１  データ取得部、１２  符号化部、１３  マッパー部、２０  受信装置、２１  デマッパー部、２２  復号化部、２３  データ取得部、１２１  データ入力受付部、１２２，２２２，２２７  インターリーブ部、１２３，１２４  ＲＳＣ符号化部、１２５  パンクチュア・マルチプレクサ部、１２６  マルチプレクサ部、２２１  デパンクチュア・デマルチプレクサ部、２２３  通信路情報判定部、２２４  繰り返し回数選定部、２２５  第１収束度合制御部、２２６，２２９  ＲＳＣ復号化部、２２８，２３１  第２収束度合制御部、２３０  デインターリーブ部、２３２  硬判定部。
【図１】
0004675820.tif 000002
【図２】
0004675820.tif 000003
【図３】
0004675820.tif 000004
【図４】
0004675820.tif 000005
【図５】
0004675820.tif 000006